(57)【要約】【課題】弁体などに付着するかびの発生を抑え、衛生的で有効な逆止弁機能を長期維持できる洗濯乾燥機を提供する。【解決手段】筐体内の水槽および回転槽内に乾燥用の温風を供給するための温風ユニットと、外部水源からの水を前記水槽内に供給するための給水経路を有する給水手段と、前記給水経路中に設けられ水とともに洗浄剤を前記水槽に投入可能な洗浄剤投入装置と、前記洗浄剤投入装置の下流側の給水経路に設けられ前記水槽への通水を許容し、逆に水槽側からの蒸気などの気流の流通を阻止する逆止弁装置とを具備し、前記逆止弁装置は前記給水経路の通路を開閉する可撓性の弁体を備え、前記弁体は、かびの発生を抑制できる物質を混合して形成し、弁体の外表面にかびが発生するのを抑える。【選択図】図１
2014104263.tif 000002
【特許請求の範囲】
【請求項１】
筐体の内部に、回転槽を収容した貯水可能な水槽と、前記水槽および回転槽内に乾燥用の温風を供給するための加熱装置および送風装置からなる温風ユニットと、一端が外部水源に接続され他端が前記水槽と連通接続された給水経路を有する給水手段と、前記給水経路中に設けられ水とともに洗浄剤を前記水槽に投入可能な洗浄剤投入装置と、前記洗浄剤投入装置の下流側の給水経路に設けられ前記水槽方向への通水を許容し、逆に水槽側からの気流の流通を制限する逆止弁装置とを具備し、前記逆止弁装置は前記給水経路の通路を開閉する可撓性の弁体を備え、前記弁体は、かびの発生を抑制できる物質を配して形成したことを特徴とする洗濯乾燥機。
【請求項２】
逆止弁装置にあって、開閉動作する弁体が接離する弁座に対し、かびの発生を抑制できる物質を配して形成したことを特徴とする請求項１記載の洗濯乾燥機。
【請求項３】
逆止弁装置にあって、開閉動作する弁体が接離する弁座との間の接触部分は、線状に接触する形状としたことを特徴とする請求項１又は２記載の洗濯乾燥機。
【請求項４】
弁体は、上部を固定し下部の可動側が弁座に接離して開閉動作するとともに、下端部を下方向に尖った突部としたことを特徴とする請求項１ないし３のいずれかに記載の洗濯乾燥機。
【請求項５】
弁体の外表面には、撥水性の表面処理を施したことを特徴とする請求項１ないし４のいずれかに記載の洗濯乾燥機。
【発明の詳細な説明】
【技術分野】
【０００１】
本発明の実施形態は、洗剤等の投入装置を備えた洗濯乾燥機に関する。
【背景技術】
【０００２】
従来、周知のように洗濯機能および乾燥機能を備えた洗濯乾燥機は、筐体の内部に、例えば回転ドラムを収容した貯水可能な水槽と、その水槽およびドラム内に乾燥用の温風を供給するための加熱装置および送風装置からなる温風ユニットと、前記水槽内に給水する給水手段などを具備し、洗濯運転（含む洗い、すすぎ、脱水の各行程）から乾燥運転まで自動的に、或は選択的に実施可能としている。
【０００３】
一方、液体洗剤、漂白剤、柔軟仕上剤など（以下、「洗浄剤」という）の投入作業の利便性を図るべく、洗浄剤投入装置を備えている。この洗浄剤投入装置は、前記給水手段が有する給水経路中に配置され、運転制御用の制御装置により所定の運転行程において、水槽への給水を利用して、予め貯留された洗浄剤を水で洗い流すように自動的に投入可能としている。この場合、洗浄剤の補填は洗浄剤投入装置が有する洗浄剤貯留ケースをスライドにより出し入れ可能に設けることで、使用者が外部から操作できるようにしている。
【０００４】
ところが、乾燥運転時に前記ドラム内の衣類など洗濯物が前記温風ユニットからの温風により加熱されることで洗濯物中の水分が蒸気化し、この蒸気が水槽へ通じる給水経路を逆流する如く進入し、前記洗浄剤投入装置まで達する。この洗浄剤投入装置は、前記したように洗浄剤貯留ケースを外部から出し入れ可能とするため、その静止部位側との間にスライド構成に伴う隙間を生じ易い。このため、蒸気はその隙間から筐体内に漏れ出て周辺を結露することとなり、筐体内部の各種の部品に対し錆、腐食、漏電等を惹起する原因となる。
【０００５】
そこで、この種洗濯乾燥機では、前記水槽への給水経路中に逆止弁装置を設け、給水時における通水は許容するが、その逆方向である水槽側からの蒸気の流通は阻止できるようにし、つまり蒸気などの気流の流通を阻止して洗浄剤投入装置まで進入しないようにしている（例えば特許文献１参照）。
【０００６】
また、上記逆止弁装置を設けることで、蒸気とともに熱エネルギ−の損失を防ぐことができ、乾燥効率が低下するのを防ぐ点でも有効である。
このように、逆止弁装置を設けることは有効であるが、長期間使用するうちに開閉動作する弁体にかびなどが発生し易いことが分ってきた。この弁体の外表面および周辺は、水分や蒸気による結露などで湿度が高く、しかも洗剤などの有機物が付着しているため、その上層面にかびが発生し易い条件にある。このかびが生長し多量となると、異臭（腐敗臭）を発生し、或は剥離したかびが洗濯物に付着するおそれがあり、さらにかびの生長や付着が進むと、弁体が固着状態に至り開閉動作が不能となるおそれがあった。
【先行技術文献】
【特許文献】
【０００７】
【特許文献１】特開２０１０−２９５２１号公報
【発明の概要】
【発明が解決しようとする課題】
【０００８】
そこで、弁体などに付着するかびの発生を抑え、衛生的で有効な逆止弁機能を長期維持できる洗濯乾燥機を提供するにある。
【課題を解決するための手段】
【０００９】
上記目的を達成するために、本発明の洗濯乾燥機によれば、筐体内の水槽および回転槽内に乾燥用の温風を供給するための温風ユニットと、外部水源からの水を前記水槽内に供給するための給水経路を有する給水手段と、前記給水経路中に設けられ水とともに洗浄剤を前記水槽に投入可能な洗浄剤投入装置と、前記洗浄剤投入装置の下流側の給水経路に設けられ前記水槽方向への通水を許容し、逆に水槽側からの気流の流通を制限する逆止弁装置とを具備し、前記逆止弁装置は前記給水経路の通路を開閉する可撓性の弁体を備え、前記弁体は、かびの発生を抑制できる物質を配して形成し、弁体の外表面にかびが発生するのを抑える（請求項１の発明）。
【図面の簡単な説明】
【００１０】
【図１】第１実施形態を示す逆止弁装置部分の分解した状態の縦断面図
【図２】第１実施形態を示す逆止弁装置部分の組込み状態の縦断面図
【図３】第１実施形態を示す逆止弁装置部分の分解した状態の斜視図
【図４】第１実施形態を示す洗濯乾燥機全体の縦断側面図
【図５】第１実施形態を示す洗浄剤投入装置の分解した状態の斜視図
【図６】第２実施形態を示す逆止弁装置の分解した状態の縦断面図
【図７】第２実施形態を示す逆止弁装置の組込み状態の縦断面図
【図８】第２実施形態を示す逆止弁装置の分解した状態の斜視図
【図９】第３実施形態を示す弁体の斜視図
【図１０】第３実施形態を示す逆止弁装置の組込み状態の正面図
【発明を実施するための形態】
【００１１】
（第１実施形態）
以下、第１の実施形態を示す図１ないし図５を参照して説明する。
そのうち、図４は横軸周りに回転する回転槽としてのドラム２を具備した洗濯乾燥機の全体構成を示す縦断側面図で、図示するように箱状の筐体１の内部に、ドラム２を収容した水槽３を設けている。この水槽３は、下方の複数個（１箇所のみ図示）の防振用のサスペンション４により、前上がりの傾斜状態に弾性支持している。
【００１２】
ドラム２は、周側壁のほぼ全域に多数の透孔５（一部のみ図示）を有する円筒状をなし、その胴部の内周面には洗濯物撹拌用のバッフル６を複数個（１個のみ図示）突設している。これらドラム２および水槽３は、共に前面（図示左側）が開口しており、この開口に対向するように筐体１の前面部の上部に扉７によって開閉される洗濯物出入口８を形成し、この洗濯物出入口８と水槽３の前面の開口部とをベローズ９により水密に連ねている。なお、ドラム２の開口部の周縁部には回転バランサ１０を設けている。
【００１３】
前記水槽３の背面には、例えばアウターロータ形のブラシレスモータからなるモータ１１を取付けており、このモータ１１は、ドラム２を直に回転駆動するようになっており、つまりモータ１１はドラム２を回転駆動する駆動装置として機能する。また、水槽３の最下部である後方底部には、電動式の排水弁１２を介して延出された排水ホース１３を接続して、水槽３内の水を機外に排出するようにしている。
【００１４】
水槽３の下方を迂回するように循環ダクト１４を配置している。この循環ダクト１４は、前記水槽３の前面部の上部に形成した温風出口１５に連通接続された排気ダクト１６、水槽３の裏面側の温風供給口１７に接続された給気ダクト１８、これら排気，給気ダクト１６，１８のそれぞれ下端部に伸縮可能に接続された熱交換ダクト１９を具備した構成にあって、つまり水槽３を介して実質的に閉空間とする循環ダクト１４が形成される。
【００１５】
なお、水槽３、ドラム２および循環ダクト１４内の空気を循環すべく、前記熱交換ダクト１９と給気ダクト１８との接続部に介在するように、送風装置２０を設けている。この送風装置２０は、送風ファン２０ａおよびファンモータ２０ｂ等から構成され、図中実線矢印方向の空気流（後述する温風流）を生成している。この送風装置２０と熱交換ダクト１９は筐体１の底部側に設置されている。
【００１６】
一方、熱交換ダクト１９の空気流の流入側（排気ダクト１６側）に位置して、リント捕獲装置２１を設けている。このリント捕獲装置２１は、熱交換ダクト１９の通路と交差するようにリントフィルタ２１ａを配置するとともに、該リントフィルタ２１ａを筐体１の前面外部から出し入れ可能に設けている。このリント捕獲装置２１は、乾燥運転時に洗濯物から発生した糸くずなどのリントを捕獲し、リントが熱交換ダクト１９の下流側へ進入しないようにしている。
【００１７】
上記熱交換ダクト１９は、筐体１内の底部に配置されたヒートポンプ機構２２を構成する蒸発器２３および凝縮器２４のフィンチューブ（図示せず）を介在した構成とし、この間を流れる空気と熱交換が行なえるようにしている。このヒートポンプ機構２２は、冷媒を圧縮して吐出する圧縮機２５、高温高圧の冷媒を放熱して凝縮する上記凝縮器２４、図示しない高圧冷媒を減圧する膨張弁、減圧された冷媒を蒸発させて吸熱する上記蒸発器２３等を環状に配管接続した構成としている。このようなヒートポンプ機構２２は、上流側に蒸発器２３が配置され下流側に凝縮器２４が配置され、この凝縮器２４の下流側に、前記送風装置２０が配置されているので、送風装置２０の駆動により熱交換ダクト１９などからなる循環ダクト１４内を空気が実線矢印方向に循環する。
【００１８】
従って、洗濯物を乾燥する乾燥運転時ではヒートポンプ機構２２が稼動し、送風装置２０が回転駆動されると、熱交換ダクト１９を流れる空気が凝縮器２４で加熱され、乾燥用の温風となって給気ダクト１８から水槽３の裏面側の温風供給口１７を経て水槽３内に供給され、回転するドラム２内では洗濯物と接触して乾燥作用を実行する。この乾燥作用を実行した温風は、ドラム２および水槽３を経て上部に形成した温風出口１５から排気ダクト１６に排出される。この温風（排気）は、リント捕獲装置２１を経て再び熱交換ダクト１９に至り、この排気中から蒸発器２３により水分が除湿され、再び凝縮器２４にて加熱される。斯くして、ヒートポンプ機構２２は主として循環空気を加熱する加熱装置として機能するとともに、この加熱装置と前記送風装置２０とにより温風を生成する温風ユニットを構成している。
【００１９】
一方、筐体１の前面側の最上部には、表側に操作パネル２６、裏側に制御装置２７を設けている。このうち、制御装置２７は洗濯乾燥機の作動全般を制御するためのもので、例えばマイクロコンピュータを主体に構成している。また、筐体１内の上部には、水道などの外部水源からの水を水槽３内に供給するための給水経路２９を有する給水手段３０を備えている。本実施形態における給水手段３０は、給水経路２９の上流側に外部水源に接続された給水弁２８を配置し、給水経路２９の下流側の端部を水槽３内の上部に連通接続された構成としている。この給水経路２９の途中に、詳細は後述する洗浄剤投入装置３１を配置しており、水槽３内への給水とともに液体洗剤などを投入可能としている。
【００２０】
なお、給水経路２９のうち、給水弁２８と洗浄剤投入装置３１間は上部給水経路２９ａとして説明し、また洗浄剤投入装置３１と水槽３との間を下部給水経路２９ｂとして以下説明する。そのうち、洗浄剤投入装置３１の下流側である下部給水経路２９ｂ中には、詳細は後述する逆止弁装置３２（図中、位置を破線で示す）を設けている。よって、下部給水経路２９ｂおよび逆止弁装置３２の具体構成などについては後述するが、逆止弁装置３２の機能としては、下部給水経路２９ｂ中を図中破線矢印で示す方向に流れる水槽３側への通水は許容し、その逆方向への気流などの流通は阻止若しくは制限する機能を有するものである。
【００２１】
ここで、まず前記洗浄剤投入装置３１の具体構成などについて、図５の分解斜視図を参照して詳細に説明する。洗浄剤投入装置３１は筐体１内に取付固定され、その外郭を形成する投入ケース３３は、上面を開放した有底容器状のケース本体３４と、その上面開放部を覆うように被着された注水カバー３７とから構成される。このうち注水カバー３７は、給水ポンプ４０を取付けた下カバー３５（詳細は後述）と上カバー３６とを重ね合わせるようにして被着結合して構成される。
【００２２】
具体的には、ケース本体３４には、後部（図５で左側）に給水弁接続口３８，３９を形成しており、従って、前記給水弁２８（図４参照）には、その給水弁接続口３８，３９に図４に示す上部給水経路２９ａ（１本のみ図示）を介して接続される二つの出口を有し、この給水弁２８の出口は制御装置２７により選択的に開閉制御されるようになっている。
【００２３】
一方、前記注水カバー３７は、上記給水弁２８又は給水ポンプ４０を通じて供給される水を導く複数の水路、例えば第１および第２の水路４１および４２を、前記下カバー３５および上カバー３６の重ね合わせ間に形成するものであり、その両水路４１，４２を経てそれぞれの先端部や中間部に形成した小孔４３，４４，４５から水が落下する位置に洗浄剤貯留ケース４６が対向する位置に設けられ、該貯留ケース４６はケース本体３４内に筐体１の前方より、図５中に示す白抜き矢印方向にスライドにより出し入れ可能に収納されている。
【００２４】
洗浄剤貯留ケース４６は、上記注水カバー３７の下カバー３５の小孔４３，４４，４５にそれぞれ対応する複数の貯留部、この場合、３箇所に第１，第２，第３の貯留部４７，４８，４９を有しており、そのうちの第１の貯留部４７には粉末洗剤を貯留し、第２の貯留部４８には液体洗剤又は漂白剤を貯留し、第３の貯留部４９には柔軟仕上剤を貯留するように設定されており、ケース本体３４の底部にはそれらの貯留部４７〜４９が通じる共通の出口５０を下方に突出形成している。
【００２５】
斯かる構成の洗浄剤投入装置３１によれば、洗濯運転（洗い行程やすすぎ行程）時には、外部水源たる水道又は風呂（残り湯）等からの水が給水弁２８又は給水ポンプ４０から、注水カバー３７の第１，第２の水路４１，４２を選択的に通って洗浄剤貯留ケース４６の第１ないし第３の貯留部４７〜４９に選択的に供給される。従って、各貯留部４７〜４９に予め貯留された粉末洗剤、液体洗剤又は漂白剤、柔軟仕上剤は、水とともにケース本体３４の出口５０から投下可能としており、下部給水経路２９ｂを介して水槽３内に投入される。このため、洗浄剤の投入は、給水弁２８又は給水ポンプ４０の動作が制御装置２７により制御されることで自動的に投入される。
【００２６】
なお、図５に加えて図３の分解斜視図を参照して、洗浄剤投入装置３１の下流側に接続される前記下部給水経路２９ｂの構成について述べる。この下部給水経路２９ｂは、洗浄剤投入装置３１の出口５０と接続される樹脂成形されたＬ字状のホース継手（エルボ）５１と、このホース継手５１に一端が接続され他端が水槽３内に連通接続された蛇腹状などのホース部５２とから構成されている。従って、ケース本体３４の出口５０と下部給水経路２９ｂとの具体的な接続は、出口５０にリング状の防水パッキン５３を介して、ホース継手５１の上方に開口する一端側を嵌合しねじ５４を締結して固定する。一方、このホース継手５１の他端側のほぼ水平方向に延びる筒状内部には、前記したように詳細は後述する逆止弁装置３２が配置される。
【００２７】
そこで、逆止弁装置３２の詳細について図１ないし図３を参照して説明する。その図１には、逆止弁装置３２を組み込むホース継手５１とともに分解した状態を示し、図２には、同様に逆止弁装置３２の組込み状態を示し、そして図３には逆止弁装置３２部分の分解斜視図を示している。
【００２８】
逆止弁装置３２は、ゴム製で可撓性を有する弁体５５と、この弁体５５を収納し取付支持する樹脂製で円筒状の弁筐５６とから構成されている。そのうち、まず弁筐５６について述べると、弁筐５６はホース継手５１の筒状開口部５１ａに挿入により嵌合可能な外径寸法をなし、内部には十字状の細いリブからなる仕切り部５９を有する例えば扇形状の通水口６０を一体形成している。
【００２９】
上記通水口６０は、弁筐５６の内径より小径に形成されることで、通水口６０の周縁部を後述する弁体５５が当接し接触する平坦状の弁座６１として形成され、且つ弁筐５６の円筒状の左端開口部より内方に位置して形成されている。この弁座６１の弁体５５が接触する表面は、上部から下部に行くほど前方に傾斜するように、その角度θ１は水平方向に対し鈍角（例えば、９５度）に形成されている。なお、上記した十字状の仕切り部５９は、弁座６１の表面より前方に突出しないように弁座６１と同一面、若しくは僅か後退した位置に形成され、弁体５５が通水口６０側に過度に変形しないようにしている。
【００３０】
また、弁筐５６の上部の円筒状部分には、弁体５５の上部を固定すべく取付支持するＴ字形凹部６２を形成しており、さらに弁筐５６の左端部の円筒状部分に外方に突出した鍔部６３を設けている。この鍔部６３は、詳細は後述するが弁筐５６をホース継手５１の筒状開口部５１ａに挿入する際、その挿入位置を規制するものである。
【００３１】
一方、弁体５５について詳細に説明すると、該弁体５５は軟質なゴム材料である例えばＥＰＤＭ（エチレン−プロピレン−ジエンゴム）製で、特には図３の斜視図に示すように扇形状の基体部５７と、この基体部５７に対し上部に直角に曲がり水平方向に延びるＴ字形の取付部５８を一体に連設し、可撓性を有する弁体５５を形成している。従って、弁体５５は上部が固定され下部の可動側を弁座６１に接離する構成で、弁体５５と弁座６１との接触面は平坦であるため面接触する構成としている。
【００３２】
さらに、本実施形態では弁体５５の外表面にかびの発生を抑制する処置を施している。
例えば、上記ゴム材料に、トリアジン系、ビグアナイド系、イソチアゾロン系、イミダゾール、チアゾール系などの有機系防かび剤を混練して弁体５５を成形している。ただし、これに限らず、銀イオン、銅イオン、亜鉛イオンなどをゼオライト、ガラス成分、アバタイトなどの担体に内合し微粉末にした無機系抗菌（防かび機能を有する）を混練したものでもよく、或はこれを複数に組み合わせた構成として、かびの発生を抑制するようにしてもよい。
【００３３】
なお、弁体５５の形状としては、上記基体部５７において弁座６１に接触する側の表面角度θ２は、図１中に示すように水平方向の取付部５８に対し、例えば９３度に形成されている。つまり角度θ２は、弁体５５の組込み前の常態における角度であって、前記した弁座６１が傾斜する角度θ１より小さく形成されている（角度θ２＜θ１）。さらに、特に図１に示すように基体部５７と取付部５８とが連接する部位にかけて、該取付部５８より上方に僅か突出するリブ６４を一体に形成しており、その下端部は基体部５７の表面まで延びている。
【００３４】
斯くして上記構成の弁体５５を弁筐５６に組込むことで、逆止弁装置３２が構成されるが、この場合、弁体５５の取付部５８を弁筐５６の凹部６２に嵌め込むことで取付支持される。すなわち、弁体５５の基体部５７を弁筐５６の弁座６１に当接した状態で取付けられるとともに、弁体５５の組込み前の角度θ２は、弁筐５６の弁座６１の角度θ１より小さいため（角度θ２＜θ１）、図２に示す組込まれた状態では、可撓性の弁体５５側が弾性変形し、その弾性復元力により弁座６１に圧接した状態で取付支持される。
【００３５】
次いで、上記構成とした逆止弁装置３２は、下部給水経路２９ｂに組込まれる。この場合、まず弁筐５６をホース継手５１の筒状開口部５１ａ内に挿入する。その挿入位置は、弁筐５６の鍔部６３が、ホース継手５１の筒状開口部５１ａの開口端部に当接するまで挿入することで所定位置まで嵌合した状態が得られ、この状態から、さらに特に図３に示すように弁筐５６側の両側部（片方のみ図示）に突設した突片６８を、ホース継手５１側のＬ字状溝部５１ｂに係合させるべく弁筐５６を回動することで、図２に示す如く逆止弁装置３２を抜け止め状態に収納できる。
【００３６】
このように、逆止弁装置３２がホース継手５１内に組込まれ所定位置に収納された状態では、弁体５５が有するリブ６４の上端部が筒状開口部５１ａの内周面で押圧された状態となる。この押圧力は、リブ６４を通じて基体部５７を弁座６１側に押し付ける作用が生じ、もって弁体５５と弁座６１との接触は、より一層圧接した安定状態に長期維持できる。
【００３７】
斯くして、逆止弁装置３２を収納したホース継手５１には、図２，３に示す蛇腹状のホース部５２の一端を接続し、他端を水槽３側の図示しない給水受口に連通接続する。この場合、ホース部５２の一端はホース継手５１の筒状開口部５１ａの外周筒部５１ｂに嵌合された状態となる。このため、筒状開口部５１ａに挿入された前記弁筐５６の凹部６２と、弁体５５の取付部５８との嵌め込み部分は、ホース部５２により密閉状態に覆われることから、弁体５５は離脱することなく確実に取付支持され、且つ仮に上記嵌め込み部分に隙間が生じても嵌め込み部分から水や気流が外部に漏洩することを防止できる。
【００３８】
次に、上記構成の洗濯乾燥機の作用について述べる。
本実施形態の横軸周りのドラム２や水槽３を備えた洗濯乾燥機では、周知のように洗濯運転（洗い、すすぎ、脱水の各行程）から乾燥運転まで、操作パネル２６からの操作信号等の入力を受けた制御装置２７により、ドラム２を夫々適正な回転速度にて駆動制御するなどして洗濯運転および乾燥運転を実行する。
【００３９】
そのうち、まず洗濯運転における一般的な洗い行程について概述すると、運転スタートに伴い給水手段３０を構成する給水経路２９を経て水槽３内に給水される。具体的には、図３に示すように外部水源からの例えば水道水の場合は給水弁２８を介して（風呂水の場合は図５に示す給水ポンプ４０を介して）、水は上部給水経路２９ａから洗浄剤投入装置３１に至る。
【００４０】
上記洗浄剤投入装置３１では（特には図５参照）、水は注水カバー３７の第１，第２の水路４１，４２を制御装置２７による設定内容に応じて選択的に流通し、これに対応した下方に位置する洗浄剤貯留ケース４６の第１ないし第３の貯留部４７〜４９に選択的に流入し、ここでは例えば粉末洗剤や漂白剤が水とともに流れ、ケース本体３４の出口５０から下部給水経路２９ｂを構成するホース継手５１内に流入する。
【００４１】
上記ホース継手５１内には、逆止弁装置３２を備えており、この逆止弁装置３２は図２，４中に破線矢印で示す方向の水の流れを許容する。すなわち、逆止弁装置３２の弁体５５は常態では、弁座６１に接触して通水口６０を閉鎖しているが（図２に示す状態）、可撓性および弾力性も有するゴム製の弁体５５は水により押し開かれ、つまり弁座６１から離間して通水口６０を開放し、これを通り抜けた水はホース部５２を経て水槽３内に供給される。そして、水槽３内に所定量の水が供給されると、モータ１１が駆動されドラム２が低速で正逆両方向に交互に回転され、洗濯物が洗浄される。
【００４２】
続くすすぎ行程では、上記同様に給水手段３０を介して水槽３内に給水される。ただし、この場合は、洗浄剤投入装置３１においては例えば柔軟仕上剤を投入すべく、水は洗浄剤貯留ケース４６の第３の貯留部４９を経て流れ水槽３内に供給される。以降、上記洗い行程と同様に、モータ１１が駆動されドラム２が低速で正逆両方向に交互に回転され、洗濯物のすすぎが行なわれる。
【００４３】
このすすぎ行程が所定時間行なわれ終了すると、脱水行程が開始される。この脱水行程では、排水弁１２を開放させて水槽３内の水を排出した後、ドラム２を高速で一方向に回転させる動作が行われ、つまりドラム２内の洗濯物は遠心脱水される。
【００４４】
上記脱水行程が終了すると、乾燥運転がスタートする。制御装置２７は、モータ１１を駆動しドラム２を低速で正逆両方向に交互に回転し、所定速度の低速回転制御する。同時に、図４に示すヒートポンプ機構２２の圧縮機２５や送風装置２０を通電駆動する。この結果、前面側を閉鎖したドア７により実質的に閉鎖された水槽３内の空間を介して連通接続された循環ダクト１４には、図４中に示す実線矢印方向の循環空気流が生じる。この空気流は、熱交換ダクト１９に配置の凝縮器２４により加熱されることで温風化され、送風装置２０を経て給気ダクト１８側に送られる。
【００４５】
給気ダクト１２に送られた温風は、図４に示すように水槽３の背面側から内部に流入しドラム２内に供給される。この回転するドラム２内では、収容された図示しない洗濯物と供給された温風との接触が良好に行われ乾燥作用が実行される。このようにして、衣類などの洗濯物から水分を奪うなど乾燥作用に寄与した後の温風は、排気風としてドラム２から排出され水槽３の前方上部の温風出口１５から排気ダクト１６側に排出される。
【００４６】
このように排出された温風には、洗濯物から生じたリントや、多くの水分を含んでいるが、上記温風は排気ダクト１６を経て熱交換ダクト１９の入口側に設けたリント捕獲装置２１に至り、まずリントがリントフィルタ２１ａに捕獲収集される。温風は、さらに熱交換ダクト１９内に進入し、ヒートポンプ機構２２の蒸発器２３により冷却除湿され、除湿後の乾いた空気が下流側の凝縮器２４に流入し、ここで再び加熱されて乾燥作用に好適する温度の温風として再生される。この再生された温風は、送風装置２０を介して給気ダクト１８から水槽３およびドラム２内への供給が繰り返し行われ、つまり温風は外部に排気されることなく循環供給され、そして制御プログラムに基づき所定の乾燥運転を終えると全運転が終了する。
【００４７】
ところで、上記乾燥運転時においては、ドラム２内の洗濯物が温風により加熱されることで蒸気が発生し、そのうち上昇した蒸気が水槽３上部に連通した下部給水経路２９ｂ（ホース部５２）内に進入する。しかるに、この蒸気は下部給水経路２９ｂ（ホース継手５１）内に配置した逆止弁装置３２により阻止され、それ以上内部まで進入することはない。
【００４８】
すなわち、通常弁体５５は通水口６０を閉鎖状態に保持され、しかも弁座６１の傾斜角度θ１を鈍角とし、この角度θ１より弁体５５（基体部５７）側の傾斜角度θ２を小さくしているため、この弁体５５の取付角度は弁座６１に対する接触状態を圧接する方向に付勢すること、さらにはリブ６４によりホース継手５１内に組込まれた弁体５５は、弁座６１に対し圧接する方向（閉鎖する方向）に付勢された状態に取付支持されることから、弁体５５が蒸気圧の変動等が生じても頻繁に開閉動作することなく確実に閉鎖状態を保持できる。従って、蒸気が給水時とは逆方向に流入し洗浄剤投入装置３１に達することを防止でき、筐体１内への蒸気の漏洩を回避できる。
【００４９】
しかしながら、逆止弁装置３２の弁体５５が単にゴム材料の前記ＥＰＤＭ製とした場合、長期間の使用するうちに弁体５５の外表面にかびが発生し、そのかびが弁体５５から周辺の弁筐５６側に至り成長すると、その付着したかびにより弁体５５が固着状態となり、本来の逆止弁機能が得られなくなることが想定される。特に、弁体５５が閉鎖した固着状態にある場合には、給水不可となり洗濯作業ができず、しかも逆止弁装置３２は筐体１の内部にあって保守点検は容易でないなどの大きな弊害が予想される。
【００５０】
しかるに、かびが発生し易い要因として、この種洗濯乾燥機では下部給水経路２９ｂの逆止弁装置３２を有する部位では、水道水による水分や蒸気による結露などで弁体５５の外表面（表裏）は湿度が高く、加えて投入される洗浄剤と接触するため、かびの栄養源となる有機物が多く付着することでかびが発生し易い。さらに、この付着物には、水道水のミネラル分が乾燥凝縮したり、洗浄剤（洗剤や柔軟仕上剤）の界面活性剤成分の付着および洗浄助剤であるゼオライトが付着し、これにかびの胞子が付着した場合には、かびが大きく生長する。また、近年多用される液体濃縮洗剤は粘性が高く、付着した洗剤成分を水で除去しきれない傾向にあることも相俟って一層かびが発生し易く、かびによる異臭、洗濯物への付着、さらには弁体５５と弁座６１とが固着されるなどの憂いを有していた。
【００５１】
これに対し、本実施形態では前記したようにトリアジン系、ビグアナイド系などの有機系防かび剤を混練して弁体５５を成形して、弁体５５の外表面におけるかびの発生を抑えるようにしたので、上記したようなかびによる種々の弊害や、逆止弁装置３２が機能不全に陥ることなどを防止できる。
【００５２】
しかも、本実施形態のように、取付角度などの工夫により弁体５５は閉鎖方向に付勢された状態で取付支持されている。これは、例えば脱水時の振動や水槽３側からの風圧による気圧変動を生じても、弁体５５の基体部５５ａが瞬間的に開閉動作するのを防ぎ、且つその開閉による騒音を防ぐ点でも有効である。その反面、逆止弁装置３２にかびが付着した場合には、弁体５５がその閉鎖状態のまま固着され易いことになるが、このような構成に対してもかびの発生および生長を抑えることで、弁体５５が動作不良を起す事態は回避できる。
【００５３】
以上説明した第１実施形態の洗濯乾燥機によれば、一端が外部水源に接続され他端が水槽３と連通接続された給水経路２９を有する給水手段３０にあって、前記給水経路２９中に水とともに洗浄剤を水槽３に投入可能な洗浄剤投入装置３１、および前記洗浄剤投入装置３１の下流側の下部給水経路２９ｂに水槽３方向への通水を許容し、逆に水槽３側からの蒸気などの気流の流通を阻止し少なくとも制限する逆止弁装置３２を設けた構成とするとともに、前記逆止弁装置３２が有する可撓性の弁体５５を、防かび剤を混練して形成し弁体５５の外表面にかびが発生するのを抑制できるようにした。
【００５４】
その結果、特に水や蒸気による結露、高湿度で投入される洗浄剤と接触し、かびが発生し易い雰囲気中にある弁体５５に対し、その外表面におけるかびの発生を有効に抑えることができるとともに、かびが大きく生長して異臭、洗濯物への付着、さらには弁体５５と弁座６１とが固着状態となる事態を回避できるなど、衛生的で有効な逆止弁機能を長期維持できる効果を有する。
【００５５】
なお、本実施形態では弁体５５のみ、かびの発生を抑制できる処置を施したが、これに限らず、弁体５５が接離する弁座６１、さらには弁筐５６全体にも同様の防かび処置を施してもよく、この場合には一層確実にかびの付着を軽減でき、本来の逆止弁機能を長期維持できる。また、弁体５５は防かび剤を混練して設けた例を示したが、これに限らず、弁体の外表面にコーティング処理して設けてもよい。
【００５６】
上記第１実施形態に対し、図６ないし図１０は第２実施形態および第３実施形態を示すもので、上記第１実施形態と実質的に同一部分には同一符号を付して説明を省略し、異なる部分について詳細に述べる。
【００５７】
（第２実施形態）
まず、図６ないし図８は第２実施形態を示すもので、そのうち図６は逆止弁装置６５の分解した縦断面図、図７は逆止弁装置６５の組込み状態の縦断面図、および図８は逆止弁装置６５の分解した斜視図である。このものは、平坦な弁座６１に断面山形状（図６，７参照）の接触部６６を突設した弁筐６７を設けた構成を特徴とするもので、弁体５５をはじめ他の具体形状については第１実施形態と実質的に共通の構成である。
【００５８】
具体的には、特に図８に明示するように平坦面の弁座６１において、通水口６０の外周囲に沿って断面山形状の接触部６６を扇状に配設したものである。従って、この接触部６６の山形状の頂部に、弁体５５の裏面が接触して閉鎖状態を保つもので、つまり線接触する構成としたものである。
【００５９】
上記構成によれば、上記第１実施形態と同様の効果が期待できることはもとより、第１実施形態における弁体５５と弁座６１とが面接触する構成に対して、本実施形態では弁体５５と接触部６６との接触部分は、線状に接触するので接触面積を小さくでき、このため弁体５５の外表面にかびなどが付着しても、接触部６６との接離動作は軽快に行なえ、弁体５５がかびなどにより固着し難くなる点で有利である。また、接触部６６の山形状の頂部は、柔軟性に富むので弁体５５と接触が確実となり、つまり通水口６０を確実に閉鎖することができる。
【００６０】
なお、本実施形態では接触部６６を山形状に形成したが、これに限らず、例えば薄肉筒状に突設して線接触する構成とすることも可能である。また、弁座６１側に線状に接触する接触部６６を設けたが、これに限らず、例えば弁体５５側の裏面たる接触面に線状に接触する接触部６６相当部分を設けてもよく、要は弁体５５と接離する弁座６１との間の接触部分が線状に接触する形状であればよい。
【００６１】
（第３実施形態）
図９および図１０は第３実施形態を示す、弁体６９の斜視図および逆止弁装置７１の組込み状態の正面図である。このものは、弁体６９の下端部を下方向に尖った突部７０として形成したことを特徴とするもので、弁体６９に付着した水滴などを突部７０に集めて滴下し易くしたものである。
【００６２】
具体的には、可撓性の弁体６９は上記各実施形態と同様に弁筐５６側に上部を取付支持されて固定され、その下部側を可動部として開閉動作する構成としている。その可動側たる基体部５７の下端部に前記突部７０を一体に突出形成したものである。
【００６３】
上記構成によれば、弁体６９に付着した水滴は下端突部に集まり水滴の成長を早めることができるため、速やかに滴下させて早期の水滴除去を可能とする。このため、弁体６９に洗浄剤（洗剤、柔軟仕上剤など）が付着しても水滴とともに容易に素早く滴下し、弁体６９は乾き易く、かびなどが発生し難くなり、弁体６９のかびによる弊害を軽減することができる。
【００６４】
なお、上記各実施形態で述べた弁体に対し、洗浄剤の成分を含む水滴などが付着し難いように撥水性の表面処理を施してもよい。例えば、図示しないが弁体の外表面にフッ素ゴムによるコーティングを施したり、シリコーンオイル由来の表面処理を行なってもよく、また第１実施形態で述べた防かび剤により形成した弁体に施せば一層効果的である。或は、弁体自体をシリコーンゴム製としてもよく、この場合は、より効果が大きく、且つシリコーンオイルの流出を防ぐことができる点で有効である。
【００６５】
その他、回転槽として横軸周りのドラムを有する洗濯乾燥機に適用した例を説明したが、これに限らず、回転槽として縦軸形の脱水兼洗濯槽と水槽を備えた洗濯乾燥機にも転用可能であることはもとより、加熱装置もヒートポンプ機構に限らず電気ヒータなど、その形態に捉われず、所謂乾燥機能を備えた洗濯機に広く展開可能である。
【００６６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略，置き換え、変更を行なうことができる。これら実施形態やその変形は、発明の範囲や要旨に含まれるとともに、特許請求の範囲に記載された発明とその均等の範囲に含まれる。
【符号の説明】
【００６７】
図面中、１は筐体、２はドラム（回転槽）、３は水槽、１４は循環ダクト、２０は送風装置、２２はヒートポンプ機構（加熱装置）、２９は給水経路、２９ａは上部給水経路、２９ｂは下部給水経路、３０は給水手段、３１は洗浄剤投入装置、３２，６５，７１は逆止弁装置、５１はホース継手、５２はホース部、５５，６９は弁体、５６，６７は弁筐、６０は通水口、６１は弁座、６６は接触部、および７０は突部を示す。
【図１】
2014104263.tif 000003
【図２】
2014104263.tif 000004
【図３】
2014104263.tif 000005
【図４】
2014104263.tif 000006
【図５】
2014104263.tif 000007
【図６】
2014104263.tif 000008
【図７】
2014104263.tif 000009
【図８】
2014104263.tif 000010
【図９】
2014104263.tif 000011
【図１０】
2014104263.tif 000012